(57)【要約】【課題】主として高齢者や要介護者などが室内の歩行時に補助又は介護用施設として使用する縦型手摺りを室内の所望位置へ取り付け設置する構造を提供する。【解決手段】縦型手摺りの下端部は床取付ブラケットで床面へ固定され、上端部には複数のパイプソケットを備えたポールサポートブラケットが取り付けられ、同ブラケットの前記パイプソケットに一端を固定したサポートパイプの他端が壁取付ブラケットにより壁面等へ固定されて縦型手摺りがほぼ垂直に固定される。前記ポールサポートブラケット及び壁取付ブラケットのパイプソケットはそれぞれ、ブラケット本体に対する取付角度を可変に構成されている。【選択図】図１
2004316089.tif 000002
【特許請求の範囲】
【請求項１】
室内の所望位置に介護用の縦型手摺りを設置する構造において、
縦型手摺りの下端部は床取付ブラケットで床面へ固定され、上端部には複数のパイプソケットを備えたポールサポートブラケットが取り付けられ、同ポールサポートブラケットの前記パイプソケットに一端を固定したサポートパイプの他端が壁取付ブラケットにより壁面等へ固定されて縦型手摺りがほぼ垂直に固定されていること、
前記ポールサポートブラケット及び壁取付ブラケットのパイプソケットはそれぞれ、ブラケット本体に対する取付角度を可変に構成されていること、
をそれぞれ特徴とする、縦型手摺りの設置構造。
【請求項２】
床取付ブラケットは、下端部に水平な固定板部を有する垂直なパイプソケットから成り、前記固定板部には床面に向かって固定ネジを通す複数の通孔が設けられており、前記通孔へ通し床面へねじ込んだ固定ネジにより前記固定板部と共にパイプソケットが床面へ固定され、縦型手摺りの下端部が前記パイプソケットへ差し込まれ結合されていることを特徴とする、請求項１に記載した縦型手摺りの設置構造。
【請求項３】
ポールサポートブラケットは、中心部に縦型手摺りの上端部を差し込む挿入孔を備え、上面部の周方向に後記球形部の下半部を支持する球状凹部を複数形成された下側部材と、
中心部に縦型手摺りの上端部を差し込む挿入孔を備え、下面部の周方向に後記球形部の上半部を支持する球状凹部が複数形成され、周方向に結合ボルトを通す複数の通孔が設けられており、前記下側部材の上に重ね合わされる上側部材と、
前記下側部材の球状凹部と、上側部材の球状凹部とに支持される球形部と一体的に構成された複数のパイプソケットで構成され、
下側部材及び上側部材の挿入孔に縦型手摺りの上端部が差し込まれ止めネジによって固定され、前記上側部材の通孔へ通した結合ボルトにより上側部材と下側部材が結合されると共に各パイプソケットの球形部が角度を可変に支持されており、前記パイプソケットにサポートパイプの一端が差し込まれ結合されていることを特徴とする、請求項１に記載した縦型手摺りの設置構造。
【請求項４】
壁取付ブラケットは、壁面等に向かって固定ネジを通す複数の通孔が設けられ、前面側に突き出された支持部に後記球形部の下半部を支持する球状凹部を形成された壁固定部材と、
後記球形部の上半部を支持する球状凹部が形成され、結合ボルトを通す複数の通孔が設けられており、前記壁固定部材の支持部へ重ね合わされる蓋部材と、
前記壁固定部材及び蓋部材の球状凹部に支持される球形部と一体的に構成されたパイプソケットで構成され、
壁固定部材の前記通孔へ通し壁面等へねじ込んだ固定ネジにより壁固定部材が壁面等へ固定され、前記蓋部材の通孔へ通した結合ボルトにより蓋部材が支持部と結合されると共に前記パイプソケットの球形部が角度を可変に支持されており、前記パイプソケットにサポートパイプの他端が差し込まれ結合されていることを特徴とする、請求項１に記載した縦型手摺りの設置構造。
【発明の詳細な説明】
【０００１】
【発明の属する技術分野】
この発明は、主として高齢者や要介護者などが室内の歩行時に補助又は介護用施設として使用する縦型手摺りを室内の所望位置へ取り付け設置する構造の技術分野に属する。
【０００２】
【従来の技術】
高齢者や要介護者などが室内の歩行時に補助又は介護用施設として使用する手摺りは、通例壁面に沿って水平に設置したもの（いわゆる壁際の横型手摺り）が一般的である。従って、利用者は壁伝いに歩行するほかなく、目的位置への移動距離が長くなる欠点がある。とりわけ大空間の部屋などの場合には、わざわざ手摺りを設置してある壁面まで移動して、そこにある横型手摺りを使って立ち上がり目的の位置や方向へ歩行するほかないので大変不便である。よって部屋の中央部位や任意所望の位置に設置可能な縦型手摺りの実現が強く求められている。
【０００３】
従来の技術として、下記の特許文献１には、縦型手摺りの設置構造が開示されている。この縦型手摺りは、上下の端部に天井側アタッチメント及び床側アタッチメントを取り付け、天井側アタッチメントは部屋の天井面へ、床側アタッチメントは床面へそれぞれ、圧縮用コイルスプリングによる弾性支持機構、及びボルトナット機構による突張力調整機構を用いて突っ張り状態に取り付ける。更に念の為に、天井側アタッチメント及び床側アタッチメントは天井面、床面との間にゴム板や両面接着テープの如き滑り止め部材を介在させる。或いは釘やビス、ボルトなどの固定部材を用いて直接的に固定する。更には天井側アタッチメントは少なくとも３本の支持体を用いて部屋の側壁へ固定する、等々の構成であることが認められる。
【０００４】
【特許文献１】
特開２０００−３１４２２０号公報
【０００５】
【発明が解決しようとする課題】
上記した特許文献１の縦型手摺りを大空間の部屋などに設置すると、高齢者や要介護者などはこの縦型手摺りを利用して部屋の中央部でも立ち上がる目的を達成でき便利になる。しかし、次のような欠点、問題点も認められる。
【０００６】
上記したように、特許文献１の縦型手摺りは、部屋の床と天井との間に適度な突っ張り力を働かせて設置する構造であるから、例えば木構造住宅の場合には、前記突っ張り力に耐えるように床の根太や天井の野縁が存在する場所を選んで設置することが肝要であり、真に希望する場所へ希望通りに設置することができない場合が多い。
【０００７】
また、仮に希望する場所に丁度床の根太、天井の野縁が存在して希望通りに設置することができたとしても、前記突っ張り力による固定だけでは到底使用上の安全性を保証し難く、天井側アタッチメントや床側アタッチメントをはじめとする各部品を大型にするとか、或いは上記した両面接着テープの如き滑り止め部材を介在させたり、釘やビス、ボルトなどの固定部材を用いて直接的に固定する方法、そして、天井側アタッチメントは少なくとも３本の支持体を用いて部屋の側壁へ固定する、等々の手段を併用することが必要で、大変面倒で煩雑な設置構造となる。
【０００８】
その上、縦型手摺りは、必ず部屋の床面から天井までの高さに合わせた寸法仕様で用意し設置することになるから、多様な品揃えとなり面倒である。
更に具体的に設置手段について検討すると、適度な突っ張り力が働く突っ張り状態に取り付ける手段として、スプリングによる弾性支持機構、及びボルトナット機構による突張力調整機構が必須不可欠の構成要件とされており、その分構造が複雑になって製造が面倒であり、高価なものとなる。また、現場では弾性支持機構を縮めた状態で、突張力調整機構のボルトを回して突っ張り力を発現させる作業を行うから、突っ張り力の大きさの設定は作業員の作業内容に委ねられ、バラツキを生じやすい。この意味においても使用上の安定性、信頼性の保証に限界が認められる。
【０００９】
更に付言すると、突張力調整機構の構成を精査すると、特許文献１の図１に開示された実施形態の場合、ボルト４２の頭部４１を床接触部材３１の凹部３３へ当接させた構成に過ぎないものと認められる（同公報の段落番号［００３５］、及び［００３６］の記載も参照）。要するに、縦型手摺りの下端部は、いわばボルト１本で不安定に立っているに等しく、誠に不安定な構造であることを否めない。
【００１０】
本発明の目的は、部屋の床から天井までの高さの如何に関わらず、また、床の根太、或いは天井の野縁の位置の如何を問わず、要するに場所を一切選ぶことなく、真に必要とされる位置へ必要な高さで自由に設置できる縦型手摺り設置構造を提供することである。
本発明の次の目的は、床取付ブラケットと、ポールサポートブラケット、及び壁取付ブラケットの３種を使用して軽便且つ迅速に、しかも高い信頼性と安全性のもとに設置できる縦型手摺りの設置構造を提供することである。
本発明の更なる目的は、設置態様のバリエーションに富み、また、使い勝手に優れる縦型手摺り設置構造を提供することである。
【００１１】
【課題を解決するための手段】
上記の課題を解決し、目的を達成するための手段として、請求項１に記載した発明に係る縦型手摺りの設置構造は、
室内の所望位置に介護用の縦型手摺りを設置する構造において、
縦型手摺りの下端部は床取付ブラケットで床面へ固定され、上端部には複数のパイプソケットを備えたポールサポートブラケットが取り付けられ、同ポールサポートブラケットの前記パイプソケットに一端を固定したサポートパイプの他端が壁取付ブラケットにより壁面等へ固定されて縦型手摺りがほぼ垂直に固定されていること、
前記ポールサポートブラケット及び壁取付ブラケットのパイプソケットはそれぞれ、ブラケット本体に対する取付角度を可変に構成されていること、をそれぞれ特徴とする。
【００１２】
請求項２に記載した発明は、請求項１に記載した縦型手摺りの設置構造において、床取付ブラケットは、
下端部に水平な固定板部を有する垂直なパイプソケットから成り、前記固定板部には床面に向かって固定ネジを通す複数の通孔が設けられており、前記通孔へ通し床面へねじ込んだ固定ネジにより前記固定板部と共にパイプソケットが床面へ固定され、縦型手摺りの下端部が前記パイプソケットへ差し込まれ結合されていることを特徴とする。
【００１３】
請求項３に記載した発明は、請求項１に記載した縦型手摺りの設置構造において、ポールサポートブラケットは、
中心部に縦型手摺りの上端部を差し込む挿入孔を備え、上面部の周方向に後記球形部の下半部を支持する球状凹部を複数形成された下側部材と、
中心部に縦型手摺りの上端部を差し込む挿入孔を備え、下面部の周方向に後記球形部の上半部を支持する球状凹部が複数形成され、周方向に結合ボルトを通す複数の通孔が設けられており、前記下側部材の上に重ね合わされる上側部材と、前記下側部材の球状凹部と、上側部材の球状凹部とに支持される球形部と一体的に構成された複数のパイプソケットとから成り、
下側部材及び上側部材の挿入孔に縦型手摺りの上端部が差し込まれ止めネジによって固定され、前記上側部材の通孔へ通した結合ボルトにより上側部材と下側部材が結合されると共に各パイプソケットの球形部が角度を可変に支持されており、前記パイプソケットにサポートパイプの一端が差し込まれ結合されていることを特徴とする。
【００１４】
請求項４に記載した発明は、請求項１に記載した縦型手摺りの設置構造において、壁取付ブラケットは、
壁面等に向かって固定ネジを通す複数の通孔が設けられ、前面側に突き出された支持部に後記球形部の下半部を支持する球状凹部を形成された壁固定部材と、
後記球形部の上半部を支持する球状凹部が形成され、結合ボルトを通す複数の通孔が設けられており、前記壁固定部材の支持部へ重ね合わされる蓋部材と、
前記壁固定部材及び蓋部材の球状凹部に支持される球形部と一体的に構成されたパイプソケットとから成り、
壁固定部材の前記通孔へ通し壁面等へねじ込んだ固定ネジにより壁固定部材が壁面等へ固定され、前記蓋部材の通孔へ通した結合ボルトにより蓋部材が支持部と結合されると共に前記パイプソケットの球形部が角度を可変に支持されており、前記パイプソケットにサポートパイプの他端が差し込まれ結合されていることを特徴とする。
【００１５】
【発明の実施形態及び実施例】
次に、請求項１〜４に記載した発明に係る縦型手摺りの設置構造の実施形態を、図面に基づいて説明する。
先ず図１は、請求項１に記載した発明に係る縦型手摺りの設置構造の一例を全体図として示している。
図中の符号１が縦型手摺りであり、ほぼ垂直に立てた縦型手摺り１の下端部は床取付ブラケット５で床面４へ固定されている。縦型手摺り１の上端部には、複数のパイプソケットを備えたポールサポートブラケット６が取り付けられ、同ブラケット６の前記パイプソケットに一端を固定したサポートパイプ７が、図１の場合には略直角二方向へ略水平に配置され、それぞれの他端は壁取付ブラケット８により壁面３へ固定され、もって縦型手摺り１の上端がしっかりと固定されている。つまり、縦型手摺り１は、部屋の天井まで届く長さは必要ないし、突っ張り支持ではないから、床４の下に根太が存在するか否か、天井の野縁の位置は何処か、などを考慮することは一切必要でなく、床取付ブラケット５を固定可能であれば、希望の位置へ自由に設置可能である。因みに壁取付ブラケット８は壁に限らず、天井や柱などへも取り付け固定することが可能である。
【００１６】
図１中の符号２は前記縦型手摺り１の所望高さ位置に設けたブランチブラケット９に一端を連結して所望の方向へ略水平に設置された横型手摺りを示す。この横型手摺り２の他端は壁取付ブラケット８により壁面３へ固定されている。縦型手摺り１及び横型手摺り２はそれぞれ、壁３及び床４で区画された室内の所望位置に介護用を目的として設置されている。
したがって、図１の実施形態によれば、大空間の部屋であっても、縦型手摺り１を設置する位置を適正に設定することにより、高齢者や要介護者は、身近な縦型手摺り１に掴まって立ち上がり、横型手摺り２に沿って伝い歩くことにより、目的位置に向かって最短距離の移動を効率的に行える。
【００１７】
因みに本実施形態の場合、縦型手摺り１には外径が約４２ｍｍの合成樹脂被覆接着鋼管が使用され、横型手摺り２及びサポートパイプ７には外径が約３２ｍｍの合成樹脂被覆接着鋼管が使用されている。しかし、この例の限りではない。
縦型手摺り１の床上高さは、室内を移動する人々の頭上に位置するサポートパイプ７が障害物として邪魔な存在とならない限り、その高さ寸法は自由に設定される。
【００１８】
次に、上記床取付ブラケット５の構成、作用について説明する。
図２と図３に示した通り、床取付ブラケット５は、下端部に水平なフランジ形状の固定板部１１を有する垂直なパイプソケット１０から成る。好ましくは、中央部に前記パイプソケット１０を通す孔１２ａを有して前記固定板部１１の上面及び周側面を覆う椀型のキャップ１２を含む。
【００１９】
パイプソケット１０は、縦型手摺り１の下端が突き当たる底１０ａを有する。前記固定板部１１には、円周方向を等分した４箇所の位置に、床面４に向かって固定ネジ１４（木ネジ）を通す複数の通孔１３が、円周方向に少し長い長孔状に設けられている。
パイプソケット１０は、固定板部１１の通孔１３へ通した各固定ネジ１４を、木質系の床面４へねじ込んで固定板部１１と共に床面４へ強固に固定される。床４の構造によっては、床４の方へ予めナットを埋め込んでおいて、固定ボルトをねじ込み止める方法も実施可能である。
【００２０】
しかる後、キャップ１２を、その孔１２ａへパイプソケット１０を通すことによって固定板部１１の上に被せる。このキャップ１２は、周側面部の内側へ若干突き出るように加工した凸部１２ｂを、固定板部１１の周側面へきつく嵌め込むことにより固定板部１１へ止められる。
縦型手摺り１は、その下端部を前記パイプソケット１０へ差し込み、同パイプソケット１０の筒壁に予め複数加工してあるネジ孔１７へ止めネジ１８をねじ込み、縦型手摺り１へ強く圧着して止めることにより固定されている。
【００２１】
次に、上記ポールサポートブラケット６の構成、作用について説明する。
図４と図５に示した通り、ポールサポートブラケット６は、中心部に上記縦型手摺り１の上端部を差し込む挿入孔２０ａを備え、上面部の周方向には円周方向をほぼ４等分した４箇所の位置（但し、個数と位置はこの例の限りではない。）に後記球形部の下半部を支持する半球形状の球状凹部２１が形成された下側部材２０と、前記下側部材２０の球状凹部２１の中に支持される球形部２２を端面部に有するように一体的に構成された複数のパイプソケット２３と、中心部に前記縦型手摺り１の上端部を差し込む挿入孔２４ａを備え、下面部の周方向には前記下側部材２０の球状凹部２１と同一の配置、同一の大きさの半球形状で、前記球形部２２の上半部を支持する複数の球状凹部２５が形成され、前記下側部材２０の上に重ね合わされる上側部材２４とから成る。
【００２２】
上記上側部材２４には、円周方向に等配した４箇所の位置に、結合ボルト２６を通す通孔２７が設けられている。これに対応して、上記下側部材２０の上面部にも、同じ配置で同数のネジ孔２８が設けられている。
要するに、下側部材２０及び上側部材２４の各挿入孔２０ａ、２４ａにそれぞれ縦型手摺り１の上端部が差し込まれる。下側部材２０の下部には、前記挿入口２０ａに向かって予め加工されたネジ孔３１を有し、このネジ孔３１へ止めネジ３２をねじ込み、縦型手摺り１へ強く圧着して結合及び固定が行われる。
上側部材２４の前記通孔２７へ通した結合ボルト２６は、下側部材２０のネジ孔２８へねじ込むことにより、上側部材２４と下側部材２０とが一体的に結合される。このとき両部材２０、２４において位置を共通させた球状凹部２１と２５の中に前記パイプソケット２３の球形部２２が挟み込まれる。したがって、前記結合ボルト２６の締結力により、各パイプソケット２３の球形部２２が球状凹部２１と２５の中で回転自在に支持され、各パイプソケット２３は３６０°全方向に最大９０°の範囲で向きを自由自在に設定可能な、いわばボールジョイントに似た角度可変の構成とされている。要するに球形部２２の外径は、球状凹部２１、２５の内径よりも少し小さく構成されている。
【００２３】
なお、上側部材２４と下側部材２０の球状凹部２１と２５の位置を一致させ、各パイプソケット２３の球形部２２が球状凹部２１と２５の中で回転自在に支持される条件を確定する位置決め手段として、図６に示したように、上側部材２４において、結合ボルト２６を通す通孔２７の出口部分にダボ突起２７ａが設けられている。他方、下側部材２０において、前記結合ボルト２６がねじ込まれるネジ孔２８の入り口部分には、前記のダボ突起２７ａが密接に嵌るダボ凹部２８ａが設けられている。つまり、ダボ突起２７ａとダボ凹部２８ａを嵌め合わせることにより、上側部材２４と下側部材２０は各々の球状凹部２１と２５の位置が完全に一致した結合が出来るのである。下側部材２０のネジ孔２８は、単に結合ボルト２６が通る通孔（ボルト孔）として設け、ナットを用いて結合する構成で実施することもできる。
【００２４】
上記のようにして組み立てられたポールサポートブラケット６のパイプソケット２３にサポートパイプ７の一端部が差し込まれ、予めパイプソケット２３の筒壁に加工されたネジ孔２９へ止めネジ３０をねじ込み、サポートパイプ７へ強く圧着して結合される。但し、パイプソケット２３とサポートパイプ７の結合を先行して行う組み立て法も実施できる。
縦型手摺り１とポールサポートブラケット６との結合は、上側部材２４にネジ孔３１を設けて、止めネジ３２で結合する構成で実施することも出来る。図５中の符号３３は縦型手摺り１の上端開口を塞ぐように取り付けたキャップを指している。
【００２５】
次に、上記壁取付ブラケット８の構成及び作用について説明する。
図７と図８に示したように、壁取付ブラケット８は、壁面３に向かって固定ネジ４４（木ネジ）を通す複数の通孔４１、４１が左右２箇所に設けられ、前面側へ突き出された支持部４２の上面部に後記球形部４６の下半部を支持する半球状の球状凹部４３を形成された壁固定部材４０と、前記球状凹部４３に支持される球形部４６を端面部に有するように一体的に構成されたパイプソケット４５と、下面側に前記球形部４６の上半部を支持する半球状の球状凹部４７が形成され、前記支持部４２に向かって結合ボルト４９を通す通孔４８が設けられ、前記壁固定部材４０の支持部４２の上面部へ重ね合わされる蓋部材５０とから成る。
【００２６】
上記の壁固定部材４０は、その左右２箇所の通孔４１へ通して壁面３へねじ込んだ固定ネジ４４により壁面３へ強固に固定される。この壁固定部材４０の支持部４２の上面部には、上記蓋部材５０の通孔４８へ通した結合ボルト４９がねじ込まれるネジ孔５１が設けられ、ネジ孔５１の左右両側の位置には、蓋部材５０の対応するダボ穴へ嵌るダボ突起５２、５２が両部材の位置決め用として設けられている。
【００２７】
蓋部材５０は、上記のダボ突起５２へダボ穴を嵌め合わせる要領で支持部４２の上面に重ね合わされる。このとき両部材４２と５０においてそれぞれ位置が一致する球状凹部４３と４７の中へ、パイプソケット４５の球形部４６が挟み込まれる。したがって、前記結合ボルト４９を通孔４８へ通し、支持部４２のネジ孔５１へねじ込み強固に締め付けることにより、蓋部材５０は支持部４２と結合され、パイプソケット４５の球形部４６は球状凹部４３と４７にきっちり支持される。
即ち、上記ポールサポートブラケット６の場合と同様に、パイプソケット４５の球形部４６は所謂ボールジョイントの如く回転自在に支持され、パイプソケット４５の向きは約９０°の振り角で３６０°全方向へ角度を可変である
上記パイプソケット４５へサポートパイプ７の他端が差し込まれ、予めパイプソケット４５の筒壁に加工されたネジ孔５３へ止めネジ５４がねじ込まれ、サポートパイプ７へ強く圧着して止めることにより、サポートパイプ７の端部は壁３に強固に結合、固定される。この場合にも、パイプソケット４５へサポートパイプ７の端部を先行して結合しておく組み立て法を実施可能である。
【００２８】
なお、図１のように、壁取付ブラケット８で横型手摺り２の端部を壁３へ固定する場合、横型手摺り２は微動だにしないようにきっちり固定することが肝要である。よって、上記蓋部材５０には、球状凹部４７の球心に向かう配置で予めネジ孔５６を設けてあり、止めネジ５７をねじ込むことによりパイプソケット４５を横型手摺り２の設置角度に強固に固定する。サポートパイプ７を固定する場合には、こうした配慮は格別重要ではない。
【００２９】
上記の構成であるから、本発明に係る縦型手摺りの設置構造は、縦型手摺り１のほかに、床取付ブラケット５、ポールサポートブラケット６、及び壁取付ブラケット８の３種を用意し、必要本数のサポートパイプ７を用意することにより、室内の任意所望の位置に設置して使用することができる。勿論、必要に応じて横型手摺り２を連接するなどして、高齢者や要介護者の歩行時の補助又は介護用として好適に使用出来る。
【００３０】
【発明の効果】
請求項１〜４に記載した発明に係る縦型手摺りの設置構造によれば、部屋の床から天井までの高さの如何に関わらず、また、床の根太、或いは天井の野縁の位置の如何を問わず、床取付ブラケットを固定可能な床、及び壁取付ブラケットを取り付け固定可能な壁等が存在すれば、真に必要とされる位置に必要な高さに自由自在に設置でき、場所を選ぶことなく、高齢者や要介護者の歩行時の補助又は介護用として好適に使用出来る。
しかも床取付ブラケットと、ポールサポートブラケット、及び壁取付ブラケットの３種を用意して組み立てる作業により、軽便且つ迅速に、しかも高い信頼性と安全性のもとに設置できるから使い勝手が良い。
【図面の簡単な説明】
【図１】本発明に係る縦型手摺りの設置構造を示す全体図である。
【図２】床取付ブラケットの構成を分解して示す斜視図である。
【図３】床取付ブラケットの使用状態を示す斜視図である。
【図４】ポールサポートブラケットの構成を分解して示す斜視図である。
【図５】ポールサポートブラケットの使用状態を示す斜視図である。
【図６】ポールサポートブラケットを構成する上側部材と下側部材の位置決め手段について示した断面図である。
【図７】壁取付ブラケットの構成を分解して示す斜視図である。
【図８】壁取付ブラケットの使用状態を示す斜視図である。
【符号の説明】
１        縦型手摺り
５        床取付ブラケット
６        ポールサポートブラケット
７        サポートパイプ
８        壁取付ブラケット
１１      固定板部
１０      パイプソケット
１４      固定ネジ
１３      通孔
２０ａ    挿入孔
２１      球状凹部
２０      下側部材
２２      球形部
２３      パイプソケット
２４ａ    挿入孔
２５      球状凹部
２６      結合ボルト
２７      通孔
３２      止めネジ
４４      固定ネジ
４１      通孔
４２      支持部
４３      球状凹部
４０      壁固定部材
４６      球形部
４５      パイプソケット
４７      球状凹部
４９      結合ボルト
４８      通孔
５０      蓋部材
【図１】
2004316089.tif 000003
【図２】
2004316089.tif 000004
【図３】
2004316089.tif 000005
【図４】
2004316089.tif 000006
【図５】
2004316089.tif 000007
【図６】
2004316089.tif 000008
【図７】
2004316089.tif 000009
【図８】
2004316089.tif 000010